(57)【要約】【課題】プールの不使用期間にプール昇降床をプール周縁部と面一の高さ位置にセットして安全性を確保し、かつ、プール開口部を有効利用することが可能なプール昇降床装置を提供する。【解決手段】プール昇降床装置を、プールに昇降可能に配置されるプール昇降床と、該プール昇降床の昇降手段と、上記プールの入口からプール昇降床へと移動可能なスロープと、を有して構成され、該スロープの入口側端部は、プールの上縁部に対して回動可能に軸支されていると共に、該入口側端部は、プールの上縁部に配設された軸受に対してスライド可能に保持され、プール昇降床をプールの上縁部まで昇降可能に形成した。【選択図】図５
2007063766.tif 000002
【特許請求の範囲】
【請求項１】
プールに昇降可能に配置されるプール昇降床と、該プール昇降床の昇降手段と、上記プールの入口からプール昇降床へと移動可能なスロープと、を有して構成され、該スロープの入口側端部は、プールの上縁部に対して回動可能に軸支されていると共に、該入口側端部は、プールの上縁部に配設された軸受に対してスライド可能に保持され、プール昇降床をプールの上縁部まで昇降可能に形成したことを特徴とするプール昇降床装置。
【発明の詳細な説明】
【技術分野】
【０００１】
この発明は、プールに昇降可能に設置され、プールの水深を変えることができるプール昇降床を備え、かつ、プール昇降床まで楽に降りることができるスロープを備えてなるプール昇降床装置に関する。
【背景技術】
【０００２】
プール昇降床を昇降させてプールの水深を変えられるようにしたプールは多く提案されており、また老人や子供、或いは身障者がプールの中に歩いて入ることができるようにするため、プール縁よりプール昇降床に至るスロープを設けたものも知られる（特許文献１参照）。
【０００３】
【特許文献１】特開２００２−４６１３号公報
【発明の開示】
【発明が解決しようとする課題】
【０００４】
この特許文献１に示す装置は、プールの入口にスロープを枢動可能に軸着して傾動可能とし、スロープ下端に設けたコロをプール昇降床に係合させる構造であるが、スロープ上端部がプールの入口端部に水平回動可能に軸支されている構造であり、該軸部は、上下動可能な構造ではないため、プール昇降床の最上昇位置は、スロープを水平状態まで移動させたとしても、該スロープの踏み板部よりも下方の位置が限界であり、プール昇降床をプール周縁部と面一となる位置まで構造的に上昇させることができない、という問題を有していた。
【０００５】
この発明は、かかる現状に鑑み創案されたものであって、その目的とするところは、プールの不使用期間にプール昇降床をプール周縁部と面一の高さ位置にセットして安全性を確保し、かつ、プール開口部を有効利用することが可能なプール昇降床装置を提供しようとするものである。
【課題を解決するための手段】
【０００６】
上記目的を達成するため、請求項１に記載の発明にあっては、プール昇降床装置を、プールに昇降可能に配置されるプール昇降床と、該プール昇降床の昇降手段と、上記プールの入口からプール昇降床へと移動可能なスロープと、を有して構成され、該スロープの入口側端部は、プールの上縁部に対して回動可能に軸支されていると共に、該入口側端部は、プールの上縁部に配設された軸受に対してスライド可能に保持され、プール昇降床をプールの上縁部まで昇降可能に形成したことを特徴とする。
【発明の効果】
【０００７】
請求項１に記載の発明にあっては、プール昇降床装置を、プールに昇降可能に配置されるプール昇降床と、該プール昇降床の昇降手段と、上記プールの入口からプール昇降床へと移動可能なスロープと、を有して構成され、該スロープの入口側端部は、プールの上縁部に対して回動可能に軸支されていると共に、該入口側端部は、プールの上縁部に配設された軸受に対してスライド可能に保持され、プール昇降床をプールの上縁部まで昇降可能に形成したので、例えば、プールの不使用期間にプール昇降床をプール周縁部と面一の高さ位置に容易にセットすることができ、段差を無くすることができるので安全であり、また、プール開口部を塞いでプール昇降床面を有効利用することができる。
【発明を実施するための最良の形態】
【０００８】
以下、添付図面に示す発明の実施例に基づき、この発明を詳細に説明する。
【０００９】
図１は、この発明の実施例に係るプール昇降床装置の構成を示す平面図を、図２は同プール昇降床装置のプール昇降床が最上昇位置まで上昇した状態を示す説明図を、図３は同プール昇降床装置のプール昇降床が水深の浅い位置にセットされた状態を示す説明図を、図４は同プール昇降床装置のプール昇降床が深い水深位置にセットされた状態を示す説明図を、図５は図２の状態におけるスロープ保持部を示す拡大説明図を、図６は図４の状態におけるスロープ保持部を示す拡大説明図を、図７は同スロープ保持部を他の方向から見た拡大説明図を夫々示している。
【００１０】
本実施例に係るプールの昇降床装置は、プール１の開口部上下方向に沿って移動可能で水中における浮力が略零となるように空気が封入された昇降床２と、該昇降床２を夫々独立させて上下方向に沿つて昇降させる昇降装置と、上記昇降床２に降りるためのスロープ２０と、から構成されている。
【００１１】
昇降床２は、この実施例では、特に図示はしないが、多数の角筒材よりなるアルミニウム製、ステンレス製あるいは合成樹脂製の床材と、これら床材の下に配置されて床材を固定支持する矩形に組み立てられた支持枠と、から構成されている。
【００１２】
多数の床材は互いに平行に並べられて、例えば、横幅５ｍ×長さ１５ｍプールの場合には、これに対応して多数の床材を矩形に組み立ててボルトナツト等により支持枠の上面に固着される。
【００１３】
角筒状の各床材の中空内部には空気が充填されてその両端に嵌合されたゴムキヤツプの栓体により密封されうるように構成されている。このように構成することで、水中で昇降床２に浮力を与えてその重量を軽減することができ、特に、床材の一部にのみ空気を充填して栓体により密封するとともに、残部の床材の栓体を外しておくことで、昇降床２の水中重量を適宜調節することができる。この場合、昇降床２の全体重力と浮力とが釣り合うようにすればその水中重量が零になり、昇降床２を水中で昇降させる際に要する駆動力を最小にすることができる。勿論、上記浮力の調整は、特に図示はしないが、フロートを昇降床２の下面に適数着脱自在に取り付けることで調整してもよい。
【００１４】
一方、上記支持枠は、上記複数枚の床材と、水平方向に相隣接して配設された床材を連結する複数個の連結部材と、から構成されている。この床材の構成素材としては、アルミニユーム材、合成樹脂材あるいはステンレス材等の本来的に軽量な材料、あるいは軽量化された材料を用いる。このように形成された床材は、各種の公知の連結部材によって所望面積を有するように連結される。
【００１５】
このように構成される昇降床２の大きさは、取り付けられるプール１の開口面積と略同じ平面積に形成される。
【００１６】
このように構成された昇降床２を上下作動させる昇降装置は、例えば、特開２０００−２８２６９９号公報に開示されている昇降装置を用いることができる。
【００１７】
この昇降装置は、プール１の対向側壁に対向して上下方向に配設され、昇降床２の長手方向両端部に形成された切り欠きに摺動自在に嵌合されて昇降床２の昇降を案内する複数の中空なガイドレールと、このガイドレールと前記支持枠及びプールサイドにそれぞれ設けられたプーリ一群と、プールサイドに設けられた駆動源としての電動モータと、その電動モーターに連動された減速変速機としての無段変速機と、一端を巻取りプーリに、他端を昇降床２にそれぞれ結着されるチェーン、ロープ、ワイヤ等の複数条の索条とから構成されている。
【００１８】
上記プーリ群は、公報に示すように、上下プーリーと、駆動プーリと、ガイドプーリと、これらのプーリに懸架された索条に適度の張力を与えるテンションプーリと、から構成されている。
【００１９】
このテンションプーリは、駆動プーリと上プーリとの間に配設した場合を例にとり説明したが、このテンションプーリの配設位置は、これに限定されるものではなく、索条に適度の張力を付与できる位置であればいずれの位置に配設してもよい。また、テンションの付与方式も、例えば、ボルトやシリンダ等でテンションプーリを進退作動させて調整し、或は、ばねの付勢力を利用してテンションを付与するように構成することができる。
【００２０】
それ故、上記電動モータを正逆回転させることによつて、無段変速機を介して巻取りプーリを適当な速度で減速回転させて各索条を巻取り、或は、巻戻すことで、前記昇降床２を、上記ガイドレールに沿つて昇降させて、プール１の水深を変更調節することができる。勿論、上記昇降床２が最上限位置あるいは最下限位置に達すると、同各位置にセツトされたスイツチ（図示せず）が作動して電動モータ回転が自動的に停止される。
【００２１】
尚、前記床材に充填される空気の量を適宜調節して昇降床２の重量が水中での浮力と等しくなるように設定すれば、小さな駆動力で昇降床２をスムーズに昇降させうるとともに、昇降床２の昇降のために必要な電動モ一タのトルクを最小にすることができ、小型の電動モータを用いることができるので経済的である。
【００２２】
勿論、この発明にあっては、プール昇降床２の昇降装置は、上記説明例に限定されるものではなく、他の方式、例えば、流体圧シリンダーを用いたものや、モータとギアを用いたもの、或はパンタグラフ機構を用いたもの等、公知の各種昇降装置を用いることができる。
【００２３】
スロープ２０は、プール１の周縁部のコーナより張り出されたプール１の入口１ａに該スロープ２０の上端が水平軸線の周りに傾動可能に軸２２に軸支され、スロープ２０の他端に、特に図示はしないが、コロが回転自在に軸支されて昇降床２の踊り場部分に係合され、昇降床２が昇降すると、コロが踊り場部分を転動しながらスロープ２０が俯仰するように取り付けられている。
【００２４】
スロープ２０にはまた、その内側縁に手摺り２１が上向きに突設されている。勿論、スロープ２０の床面には、滑り止め用の凹凸が形成されている。
【００２５】
また、上記スロープ２０を軸支する軸２２は、図５乃至図７に示すように、該軸２２を上下動可能に保持する軸受２３に軸着されており、該軸受２３の下部は、プール１の上記入口１ａのプール壁面３に固着された筒状のホルダー４に上下移動可能に挿入されて保持されている。
【００２６】
それ故、上記スロープ２０は、昇降床２の昇降動に追随して、図３と図４に示すように、その傾斜角度を代えながら傾動する。このとき、上記軸２２を軸支する軸受２３は、図６に示すように、ホルダー４に沈み込むように保持される。
【００２７】
この状態から、さらに昇降床２を上昇させ、昇降床２の上面がプール１の周縁部と面一となる最上昇位置まで上昇すると、スロープ２０は、昇降床２により押し上げられてプール１の周縁部よりも高い位置まで上昇する。このとき、上記軸２２を軸支する軸受２３は、ホルダー４に対してスライド自在に挿入されているだけであるため、スロープ２０の上昇動に追随して上昇するため、昇降床２の上面がプール１の周縁部と面一となる最上昇位置まで確実に上昇させることができる。
【００２８】
尚、上記実施例では、この発明をプールの昇降床に設けられるスロープを例にとり説明したが、この発明にあってはこれに限定されるものではなく、例えば、浴槽の出入りに使用するスロープにも適用することができる。
【図面の簡単な説明】
【００２９】
【図１】この発明の実施例に係るプール昇降床装置の構成を示す平面図である。
【図２】同プール昇降床装置のプール昇降床が最上昇位置まで上昇した状態を示す説明図である。
【図３】同プール昇降床装置のプール昇降床が水深の浅い位置にセットされた状態を示す説明図である。
【図４】同プール昇降床装置のプール昇降床が深い水深位置にセットされた状態を示す説明図である。
【図５】図２の状態におけるスロープ保持部を示す拡大説明図である。
【図６】図４の状態におけるスロープ保持部を示す拡大説明図である。
【図７】同スロープ保持部を他の方向から見た拡大説明図である。
【符号の説明】
【００３０】
１  プール
１ａ  プールの入口
２  昇降床
４  ホルダー
１０  昇降装置
２０  スロープ
２２  （回転）軸
２３  軸受
【図１】
2007063766.tif 000003
【図２】
2007063766.tif 000004
【図３】
2007063766.tif 000005
【図４】
2007063766.tif 000006
【図５】
2007063766.tif 000007
【図６】
2007063766.tif 000008
【図７】
2007063766.tif 000009